【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
ブレーキングシステムであって、
ロータと、
前記ロータのまわりに少なくとも部分的に配置され、前記ロータに対して停止する力を働かせるキャリパアッセンブリであって、当該キャリパアッセンブリは、固定されたマウントブラケットとフローティング部とを含む、前記キャリパアッセンブリと、
前記フローティング部の位置を示す信号を生成する前記固定されたマウントブラケットに取り外し可能に結合された感知素子を有するセンサアッセンブリであって、前記感知素子は、磁界を感知しかつ前記信号を生成する、前記センサアッセンブリと、
前記センサアッセンブリからの信号を、離れた電子部品へ送信するためのワイヤレストランスミッタと、
一緒に移動のために前記フローティング部に取り外し可能に結合された磁石と、
ハウジングと、
前記ハウジングに取り付けられ、電子部品モジュールアッセンブリを収容するチャンバを形成するカバーとを有し、
前記電子部品モジュールアッセンブリは、前記感知素子を含み、前記ハウジングが軸のまわりにチャンネルを形成し、前記磁石は、前記フローティング部の移動に応答して前記軸に沿って移動するように位置決めされ、前記磁石は、磁界を発生し、前記信号は、実際のブレーキパッドの摩耗の値を示す、ブレーキングシステム。
【請求項２】
ブレーキングシステムはさらに、前記信号を受け取り、かつ前記信号に基づき前記実際のブレーキパッドの摩耗の値を計算するように構成されたマイクロプロセッサを含み、前記キャリパアッセンブリは、前記フローティング部に取付けられた少なくとも１つのブレーキパッドを含む、請求項１に記載のブレーキングシステム。
【請求項３】
ブレーキングシステムはさらに、前記離れた電子部品に結合されたディスプレイを含み、実際のブレーキパッドの摩耗の値を表示する、請求項２に記載のブレーキングシステム。
【請求項４】
前記磁石および前記チャンネルは、円筒状である、請求項１に記載のブレーキングシステム。
【請求項５】
前記電子部品モジュールアッセンブリは、プリント回路基板と、アンテナと、バッテリと、前記無線信号トランスミッタとを含む、請求項１に記載のブレーキングシステム。
【請求項６】
前記マイクロプロセッサは、
予想されるブレーキパッドの摩耗の値に関するデータを格納し、
予想されるブレーキパッドの摩耗の値を実際のブレーキパッドの摩耗の値と比較し、
実際のブレーキパッドの摩耗の値と予想されるブレーキパッドの摩耗の値との間の逸脱をユーザーに警告するように構成される、請求項２に記載のブレーキングシステム。
【請求項７】
ブレーキングシステムはさらに、
ユーザーによってブレーキが作動された度合を表すブレーキ圧力負荷の値を受け取り、
ブレーキ圧力負荷の値の少なくとも一部に基づき予想される信号の強度を計算し、
信号の強度と予想される信号の強度との間の逸脱をユーザーに警告するように構成されるマイクロプロセッサを含む、請求項１に記載のブレーキングシステム。
【請求項８】
前記マイクロプロセッサは、
実際のブレーキパッドの摩耗の値をブレーキパッドの摩耗の第２の値と比較し、当該ブレーキパッドの摩耗の第２の値は、離れたキャリパアッセンブリに対応するブレーキパッドの摩耗を表すものであり、
実際のブレーキパッドの摩耗の値とブレーキパッドの摩耗の第２の値との逸脱をユーザーに警告するように構成される、請求項２に記載のブレーキングシステム。
【請求項９】
ブレーキングシステムのための位置センシングシステムであって、当該ブレーキングシステムが、ロータ、前記ローラのまわりの少なくとも一部に配置されかつ固定されたマウントブラケットおよびフローティング部を含むキャリパアッセンブリ、および前記フローティング部を介して第２の力に応答して前記ロータに抗する第１の力を付勢するように動作可能な前記フローティング部に取付けられた少なくとも１つのブレーキパッドを含んでおり、前記位置センシングシステムは、
磁界を発生する磁石であって、当該磁石は、前記フローティング部とともに移動のためのキャリアを介してキャリパスライドピンに取り外し可能に結合される、前記磁石と、
センサアッセンブリとを含み
当該センサアッセンブリは、
前記センサアッセンブリを前記固定されたマウントブラケットに取り外し可能に取り付けるように構成されたフランジを有するハウジングと、
前記磁石と前記センサアッセンブリとの相対的な位置に相関関係がある強度を有する信号を発生するために磁界を感知する感知素子を含む電子部品モジュールアッセンブリと、
前記センサアッセンブリから離れた電子部品に前記信号を送信する無線トランスミッタとを有し、
前記センサアッセンブリは、前記電子部品モジュールアッセンブリを収容するチャンバを形成するように前記ハウジングに取り付けられたカバーを含み、前記ハウジングは、軸のまわりにチャンネルを形成し、前記磁石は、前記フローティング部の移動に応答して前記軸に沿って移動するように位置決めされ、前記信号は、実際のブレーキパッドの摩耗の値を示す、位置センシングシステム。
【請求項１０】
前記電子部品もムールアッセンブリは、プリント回路基板、アンテナ、バッテリおよび前記無線信号トランスミッタを有する電子部品モジュールアッセンブリを含む、請求項９に記載の位置センシングシステム。
【請求項１１】
ブレーキングシステムのための位置センシングシステムであって、当該ブレーキングシステムが、ロータ、前記ローラのまわりの少なくとも一部に配置されかつ固定されたマウントブラケットおよびフローティング部を含むキャリパアッセンブリ、および前記フローティング部を介して第２の力に応答して前記ロータに抗する第１の力を付勢するように動作可能な前記フローティング部に取付けられた少なくとも１つのブレーキパッドを含んでおり、前記位置センシングシステムは、
前記フローティング部に結合された金属性の参照部分であって、前記フローティング部の移動が前記金属性の参照部分の対応する移動を生じさせる、前記金属性の参照部分と、
前記固定されたマウントブラケットにハウジングによって取り外し可能に取付けられたインダクティブセンサアッセンブリとを含み、
前記インダクティブセンサアッセンブリは、前記センサアッセンブリと前記金属性の参照部分との間の変位距離に相関関係がある強度を有する信号を発生させるように構成されたインダクティブ感知素子と、前記電子部品モジュールアッセンブリを収容するチャンバを形成するようにハウジングに取り付けられたカバーとを有し、前記カバーと前記電子部品モジュールアッセンブリとが面に平行に配置され、前記フローティング部の移動が前記金属製の参照部分を前記面に平行に移動させ、前記インダクティブセンサアッセンブリはさらに、前記センサアッセンブリから離間された電子部品に前記信号を送信する無線トランスミッタを含み、前記信号は実際のブレーキパッドの摩耗を示す、位置センシングシステム。
【請求項１２】
前記インダクティブセンサアッセンブリは、前記インダクティブ感知素子、プリント回路基板、アンテナ、バッテリおよび前記ワイヤレストランスミッタを含む前記電子部品モジュールアッセンブリを含む、請求項１１に記載の位置センシングシステム。
【請求項１３】
ハウジングは、ネジを受け取るためのねじ山が形成された軸方向の孔を有するフランジを含み、当該ハウジングを前記固定されたマウントブラケットに取外し可能に取付ける、請求項１２に記載の位置センシングアッセンブリ。